(57)【特許請求の範囲】
【請求項１】
鍵盤シャーシと、この鍵盤シャーシ上に上下方向に回動可能に設けられた鍵と、前記鍵盤シャーシに設けられて前記鍵の押鍵操作に応じてスイッチ動作するスイッチ部材とを備えた鍵盤装置において、
前記スイッチ部材は、前記鍵盤シャーシに前記鍵と対応して設けられた貫通孔内に下側から挿入するドーム状の膨出部を有するゴムシートと、このゴムシートの一部を前記鍵盤シャーシとの間に挟み付けるように前記鍵盤シャーシの下面に配置されたスイッチ基板とを備え、
前記鍵盤シャーシにはガイド突起が設けられ、
前記スイッチ基板には前記ガイド突起に嵌合する孔が設けられ、
前記スイッチ基板が前記シャーシに対して組み付けが完了する前までは、ガイド突起は前記スイッチ基板が前記ゴムシートに接触するのを防ぐとともに、前記スイッチ基板が前記シャーシに対して組み付けが完了したときは、前記基板に設けられた孔が、前記ゴムシートの一部を挟み付けるように前記シャーシに設けられたガイド突起と嵌合することを特徴とする鍵盤装置。
【請求項２】
前記鍵盤シャーシには、前記スイッチ基板が前記シャーシに対して組み付けが完了したときに、前記スイッチ基板を係止する弾性フック部をさらに有することを特徴とする請求項１に記載の鍵盤装置。
【発明の詳細な説明】
【０００１】
【発明の属する技術分野】
この発明は、電子ピアノなどの電子鍵盤楽器の鍵盤装置に関する。
【０００２】
【従来の技術】
従来、電子ピアノなどの電子鍵盤楽器においては、楽器ケース内の鍵盤シャーシ上に並列に配置された複数の鍵を押鍵操作することにより、鍵盤シャーシに設けられたスイッチ部材をオンさせて楽音を発生させるように構成されている。
図１７〜図２０はその一例を示した図である。この電子鍵盤楽器は、図１７に示すように、楽器ケースに一体に形成された鍵盤シャーシ１と、この鍵盤シャーシ１上に上下方向に回動可能に取り付けられて並列に配置された複数の鍵２と、鍵盤シャーシ１に設けられて複数の鍵２によって押圧されるスイッチ部材３とを備えている。
【０００３】
複数の鍵２は、白鍵と黒鍵とからなり、それぞれ各後部（図１７では右端部）に薄肉状の弾性変形部４が形成され、これら弾性変形部４の後端部が鍵配列方向に沿う共通の連結部５に白鍵および黒鍵ごとに並列に配置された状態で連結形成され、これら連結部５が白鍵および黒鍵ごとに重ね合わされた状態で鍵盤シャーシ１の鍵取付部６上にビス７により取り付けられ、これにより各弾性変形部４を中心に上下方向に回動するように構成されている。この場合、各鍵２には、押鍵操作に応じてスイッチ部材３を押圧する押圧部８が鍵２の下方に突出した状態で形成されている。
【０００４】
スイッチ部材３は、ゴムシート１０とスイッチ基板１１とからなり、鍵盤シャーシ１の中間部における下面に配置されている。ゴムシート１０は、図１８に示すように、鍵２の配列方向に沿って連続する帯状のもので、図１７に示すように、各鍵２の押圧部８に対応する箇所に弾性変形可能なドーム状の膨出部１２が形成され、これら膨出部１２が鍵盤シャーシ１に設けられた各貫通孔１３内に下側から挿入され、その各上端部が各鍵２の押圧部８の下面に弾接するように構成されている。また、スイッチ基板１１は、図１７および図１８に示すように、その一端部（同図では左端部１１ａ）が鍵盤シャーシ１の下面に設けられた係止部１４に係止され、他端部（同図では右端部１１ｂ）に設けられたビス孔１５ａが鍵盤シャーシ１のボス部１５ｂに対応し、この状態でビス１５によりスイッチ基板１１の右端部１１ｂが鍵盤シャーシ１のボス部１５ｂに取り付けられ、これによりゴムシート１０を鍵盤シャーシ１の下面に挾み付けている。
【０００５】
この場合、ゴムシート１０の各膨出部１２の内部には、図１７に示すように、可動接点１６が設けられており、スイッチ基板１１の上面には、一対の固定接点１７が各可動接点１６に対応して設けられている。これにより、スイッチ部材３は、ゴムシート１０の膨出部１２が鍵２の押圧部８によって押圧されると、膨出部１２が弾性変形して、その内部の可動接点１６がスイッチ基板１１の一対の固定接点１７に接触し、これによりスイッチ信号を出力する。また、このスイッチ部材３は、離鍵時に、膨出部１２がその弾性復帰力により鍵２の押圧部８を押し上げ、可動接点１６を一対の固定接点１７から離間させるように構成されている。また、このスイッチ部材３は、例えば、１オクターブ分に相当する鍵２に対応する程度の長さに構成されている。
【０００６】
なお、複数の鍵２は、ゴムシート１０の各膨出部１２および各鍵２の弾性変形部４の各弾性力により上方に付勢され、各鍵２の前側部（図１７では左側部）に設けられたＬ字状のストッパ片１８が鍵盤シャーシ１のバカ孔１９を通して鍵盤シャーシ１の下面に設けられたフェルトなどの上限ストッパ２０に当接し、これにより鍵２が所定の上限位置（初期位置）に位置規制されている。また、鍵２は、押鍵されたときに、ストッパ片１８が鍵盤シャーシ１の低部上に設けられたフェルトなどの下限ストッパ２１に当接し、これにより鍵２が所定の下限位置に位置規制されている。さらに、鍵２は、鍵盤シャーシ１上に設けられた白鍵ガイド２２および黒鍵ガイド２３によって鍵２の横振れが規制されている。
【０００７】
【発明が解決しようとする課題】
ところで、このような電子鍵盤楽器において、鍵盤シャーシ１にスイッチ部材３を組み付ける場合には、図１９および図２０に示すように、まず、ゴムシート１０の各膨出部１２を鍵盤シャーシ１の各貫通孔１３に下側から挿入して、ゴムシート１０を鍵盤シャーシ１の下面に配置する。この状態で、スイッチ基板１１を右下がりに所定角度で傾け、この傾いたスイッチ基板１１の左端部１１ａをゴムシート１０の下面に沿って滑らせながら鍵盤シャーシ１の係止部１４に差し込んで係止させる。この後、スイッチ基板１１の左端部１１ａを中心にスイッチ基板１１を上方に向けて回動させて鍵盤シャーシ１の下面にゴムシート１０を介して配置する。この状態で、スイッチ基板１１の他端部１１ｂを鍵盤シャーシ１のボス部１５ｂにビス１５により取り付ける。
【０００８】
しかしながら、このような電子鍵盤楽器では、スイッチ基板１１の左端部１１ａをゴムシート１０の下面に沿って滑らせながら鍵盤シャーシ１の係止部１４に差し込むときに、スイッチ基板１１の左端部１１ａがゴムシート１０の左端部側、例えば膨出部１２の左側内縁を引っ掛けてゴムシート１０を変位させてしまうことがある。このような場合には、ゴムシート１０の左端部がスイッチ基板１１の左端部１１ａと共に鍵盤シャーシ１の係止部１４に食い込んで、スイッチ基板１１が確実に固定できなくなったり、あるいはゴムシート１０のドーム状の膨出部１２が鍵盤シャーシ１の貫通孔１３の縁に当接して変形し、スイッチ機能に不具合が発生したり、押鍵特性が悪くなったりするなどの問題がある。
【０００９】
この発明の課題は、スイッチ部材を安定させた状態で正確に組み付けることができるようにすることである。
【００１０】
【課題を解決するための手段】
この発明は、鍵盤シャーシと、この鍵盤シャーシ上に上下方向に回動可能に設けられた鍵と、前記鍵盤シャーシに設けられて前記鍵の押鍵操作に応じてスイッチ動作するスイッチ部材とを備えた鍵盤装置において、前記スイッチ部材は、前記鍵盤シャーシに前記鍵と対応して設けられた貫通孔内に下側から挿入するドーム状の膨出部を有するゴムシートと、このゴムシートの一部を前記鍵盤シャーシとの間に挟み付けるように前記鍵盤シャーシの下面に配置されたスイッチ基板とを備え、前記鍵盤シャーシにはガイド突起が設けられ、前記スイッチ基板には前記ガイド突起に嵌合する孔が設けられ、前記スイッチ基板が前記シャーシに対して組み付けが完了する前までは、ガイド突起は前記スイッチ基板が前記ゴムシートに接触するのを防ぐとともに、前記スイッチ基板が前記シャーシに対して組み付けが完了したときは、前記基板に設けられた孔が、前記ゴムシートの一部を挟み付けるように前記シャーシに設けられたガイド突起と嵌合することを特徴とする。
【００１１】
この発明によれば、ゴムシートのドーム状の膨出部を鍵盤シャーシの貫通孔に下側から挿入させてゴムシートを鍵盤シャーシの下面に配置し、この状態でスイッチ基板を鍵盤シャーシに組み付けるときに、鍵盤シャーシに設けられたガイド突起がスイッチ基板をゴムシートに接触させないようにガイドするので、従来のようにゴムシートがスイッチ基板に引っ掛かって変位するのを防ぐことができ、これによりスイッチ部材を安定させた状態で正確に組み付けることができる。また、請求項２に記載のごとく、前記鍵盤シャーシには、前記スイッチ基板が前記シャーシに対して組み付けが完了したときに、前記スイッチ基板を係止する弾性フック部をさらに有することにより、ビスなどを用いずに、スイッチ部材を鍵盤シャーシに取り付けることができ、このため取付作業が容易にできる。
【００１４】
【発明の実施の形態】
［第１実施形態］
以下、図１〜図８を参照して、この発明の鍵盤装置の第１実施形態について説明する。なお、図１７〜図２０に示された従来例と同一部分には同一符号を付して説明する。
この鍵盤装置は、鍵盤シャーシ１の下面にスイッチ基板１１をガイドするガイド突起２５、２６を設け、これに伴ってゴムシート１０およびスイッチ基板１１にガイド突起２５、２６が嵌合する嵌合孔２７〜２９を設けた構造で、これ以外は従来例とほぼ同じ構造になっている。
【００１５】
すなわち、ガイド突起２５、２６のうち、第１ガイド突起２５は、図５および図７に示すように、スイッチ基板１１の左端部１１ａを鍵盤シャーシ１の係止部１４に向けてガイドするものである。この第１ガイド突起２５は、図２に示すように、鍵盤シャーシ１の下面における貫通孔１３の間に位置し、かつ係止部１４の近傍に位置する箇所に、貫通孔１３の配列方向に沿って所定間隔、例えば図２に示すように貫通孔１３の３個程度の間隔で設けられている。また、第２ガイド突起２６は、スイッチ基板１１の右端部１１ｂをガイドするものであり、鍵盤シャーシ１の下面における貫通孔１３よりも右側に位置する箇所に第１ガイド突起２５と対応して設けられている。この場合、第１、第２ガイド突起２５、２６は、図５に示すように、スイッチ基板１１を右下がりに所定角度で傾けるために、第２ガイド突起２６の高さ、つまり下方への突出長さが第１ガイド突起２５よりも長く形成され、かつ第１、第２ガイド突起２５、２６の各先端面が右下がりの傾斜面に形成されている。
【００１６】
また、ゴムシート１０には、図５に示すように、鍵盤シャーシ１の下面に配置されたときに、第１ガイド突起２５が嵌合する嵌合孔２７が図３に示すように左辺の近傍に位置して設けられている。なお、このゴムシート１０の下面、つまりスイッチ基板１１に対向する面には、ドーム状の膨出部１２が押圧されたときに、その内部の空気を逃がす空気抜き溝３０が縦横に設けられている。
また、スイッチ基板１１には、図７に示すように、スイッチ基板１１の左端部１１ａが鍵盤シャーシ１の係止部１４に差し込まれた状態で、スイッチ基板１１の右端部１１ｂが鍵盤シャーシ１の下面にビス１５により取り付けられるときに、第１、第２ガイド突起２５、２６がそれぞれ嵌合する嵌合孔２８、２９が図４に示すように左辺側と右辺側との両辺の近傍に位置して設けられている。
【００１７】
このような鍵盤装置では、鍵盤シャーシ１の下面にスイッチ基板１１を組み付けるときに、図５に示すように、まず、ゴムシート１０のドーム状の各膨出部１２を鍵盤シャーシ１の各貫通孔１３に下側から挿入させて、ゴムシート１０を鍵盤シャーシ１の下面に配置する。このときには、ゴムシート１０の嵌合孔２７に鍵盤シャーシ１の第１ガイド突起２５が挿入するので、ゴムシート１０が鍵盤シャーシ１の下面に位置決めされる。この状態で、図５に２点鎖線で示すように、スイッチ基板１１の左端部１１ａを第１ガイド突起２５の先端面に当接させた後、図５に実線で示すように、スイッチ基板１１のほぼ中間部に位置する上面を第２ガイド突起２６の先端面に当接させる。すると、スイッチ基板１１が第１、第２ガイド突起２５、２６によって右下がりに所定角度で傾斜する。このときには、図６に示すように、スイッチ基板１１の各嵌合孔２８、２９を第１、第２ガイド突起２５、２６に対してスイッチ基板１１のスライド方向に沿って対応させる。
【００１８】
この状態で、スイッチ基板１１を図５において左側に向けてスライドさせ、図７に示すように、スイッチ基板１１の左端部１１ａを鍵盤シャーシ１の係止部１４に差し込む。このときには、スイッチ基板１１が第１、第２ガイド突起２５、２６によってガイドされるので、スイッチ基板１１がゴムシート１０に接触することがない。そして、スイッチ基板１１の左端部１１ａが係止部１４に差し込まれると、図７に示すように、スイッチ基板１１の各嵌合孔２８、２９が鍵盤シャーシ１の第１、第２ガイド突起２５、２６に対応するので、図７に２点鎖線で示すように、スイッチ基板１１の左端部１１ａを中心にスイッチ基板１１を上方に向けて回動させると、スイッチ基板１１の各嵌合孔２８、２９に鍵盤シャーシ１の第１、第２ガイド突起２５、２６が嵌合する。これにより、スイッチ基板１１が鍵盤シャーシ１に対して位置決めされ、この状態でスイッチ基板１１が鍵盤シャーシ１の下面にゴムシート１０を介して配置される。この後、図８に示すようにスイッチ基板１１の右端部１１ｂをビス１５により鍵盤シャーシ１のボス部１５ｂに取り付けると、スイッチ基板１１が鍵盤シャーシ１の下面にゴムシート１０を挾み付けて取り付けられる。
【００１９】
このように、この鍵盤装置によれば、鍵盤シャーシ１の下面に第１、第２ガイド突起２５、２６を設けたので、ゴムシート１０のドーム状の各膨出部１２を鍵盤シャーシ１の各貫通孔１３に挿入させてゴムシート１０を鍵盤シャーシ１の下面に配置し、この状態でスイッチ基板１１を鍵盤シャーシ１に組み付けるときに、鍵盤シャーシ１の第１、第２ガイド突起２５、２６によってスイッチ基板１１をゴムシート１０に接触させないようにガイドすることができ、これにより従来のようにゴムシート１０がスイッチ基板１１に引っ掛かって変位するのを防ぐことができるとともに、第１、第２ガイド突起２５、２６によってゴムシート１０およびスイッチ基板１１を鍵盤シャーシ１に対して位置決めすることができ、これらによってゴムシート１０およびスイッチ基板１１を容易にかつ正確に組み付けることができ、このため安定したスイッチ機能および安定した押鍵特性を確保することができる。
【００２０】
なお、上記第１実施形態では、鍵盤シャーシ１の下面に第１、第２ガイド突起２５、２６を設けた場合について述べたが、必ずしも第１、第２ガイド突起２５、２６を設ける必要はなく、スイッチ基板１１の左端部１１ａ側に位置する第１ガイド突起２５のみを設けた構造でも良い。この場合には、第１ガイド突起２５を鍵盤シャーシ１の前後方向、つまりスイッチ基板１１のスライド方向に長く形成することが望ましい。
また、上記第１実施形態では、第１、第２ガイド突起２５、２６の先端面を傾斜面に形成したが、必ずしも傾斜面に形成する必要はなく、円弧面であっても良く、また水平な平坦面であっても良く、その先端面の形状はどのような形状であっても良い。
【００２１】
［第２実施形態］
次に、図９〜図１２を参照して、この発明の鍵盤装置の第２実施形態について説明する。この場合には、図１〜図８に示された第１実施形態と同一部分に同一符号を付して説明する。
この鍵盤装置は、第１、第２ガイド突起２５、２６のうち、右側に位置する第２ガイド突起２６に代えて弾性フック部３１を設けた構造で、これ以外は第１実施形態とほぼ同じ構造になっている。
この弾性フック部３１は、スイッチ基板１の右端部１１ｂ側をガイドする機能のほかに、スイッチ基板１１の右端部１１ｂを係止する機能をも備え、鍵盤シャーシ１の下面に設けられている。
【００２２】
すなわち、この弾性フック部３１は、鍵盤シャーシ１の下面にスイッチ基板１１が配置された状態のときに、スイッチ基板１１の右端部１１ｂに対応する位置、つまりこの第２実施形態では存在しないボス部１５ｂの右側に位置する箇所で、第１ガイド突起２５と対応した状態で、鍵盤シャーシ１の前後方向（図９および図１０では左右方向）に弾性変形可能に設けられている。この場合、弾性フック部３１は、第１ガイド突起２５よりも下方に長く形成され、これによりスイッチ基板１１を右下がりに傾斜させ、鍵盤シャーシ１の下面にスイッチ基板１１が配置されるときに、弾性変形してスイッチ基板１１の右端部１１ｂを係止するように構成されている。なお、スイッチ基板１１には、第１ガイド突起２５が嵌合する嵌合孔２８が設けられているが、第１実施形態の嵌合孔２９およびビス孔１５ａは設けられていない。
【００２３】
このような鍵盤装置では、ゴムシート１０のドーム状の各膨出部１２を鍵盤シャーシ１の各貫通孔１３に挿入させてゴムシート１０を鍵盤シャーシ１の下面に配置し、この状態でスイッチ基板１１を鍵盤シャーシ１に組み付けるときに、図９に２点鎖線で示すように、スイッチ基板１１の左端部１１ａを第１ガイド突起２５の先端面に当接させた後、図９に実線で示すように、スイッチ基板１１の右端部１１ｂ側の上面を弾性フック部３１の先端に当接させ、スイッチ基板１１を第１ガイド突起２５と弾性フック部３１とによって右下がりに所定角度で傾斜させる。このときには、図９に示すように、スイッチ基板１１の嵌合孔２８を第１ガイド突起２５に対してスイッチ基板１１のスライド方向に沿って対応させる。この状態で、スイッチ基板１１を図９において左側に向けてスライドさせ、図１１に示すように、スイッチ基板１１の左端部１１ａを鍵盤シャーシ１の係止部１４に差し込む。
【００２４】
このときには、スイッチ基板１１が第１ガイド突起２５および弾性フック部３１によってガイドされるので、第１実施形態と同様、スイッチ基板１１がゴムシート１０に接触することがない。そして、スイッチ基板１１の左端部１１ａが係止部１４に差し込まれると、図１１に示すように、スイッチ基板１１の嵌合孔２８が鍵盤シャーシ１の第１ガイド突起２５に対応し、スイッチ基板１１の右端部１１ｂに弾性フック部３１に対応する。この状態で、図１１に２点鎖線で示すように、スイッチ基板１１を鍵盤シャーシ１の下面に向けて回動させると、嵌合孔２８に第１ガイド突起２５が嵌合すると共に、スイッチ基板１１の右端部１１ｂが弾性フック部３１を後方（同図では右方）に向けて弾性変形させて乗り越え、この弾性フック部３１が弾性復帰してスイッチ基板１１の右端部１１ｂを係止する。これにより、図１１に示すように、スイッチ基板１１が鍵盤シャーシ１の下面にゴムシート１０を挾み付けて取り付けられる。
【００２５】
このように、この鍵盤装置では、第１実施形態と同様の作用効果があるほか、特に第２ガイド突起２６に代えて弾性フック部３２を設けたので、スイッチ基板１１の左端部１１ａを鍵盤シャーシ１の係止部１４に係止させた状態で、スイッチ基板１１を鍵盤シャーシ１の下面に配置するときに、弾性フック部３１が弾性変形してスイッチ基板１１の右端部１１ｂを係止するので、第１実施形態のように、ビス１５などを用いずに、スイッチ基板１１を鍵盤シャーシ１の下面に簡単に取り付けることができ、これにより取付作業が容易にでき、しかもスイッチ基板１１に第２ガイド突起２６の嵌合孔２９やビス１５のビス孔１５ａなどを設ける必要がないので、スイッチ基板１１の構造をも簡素化することができる。
【００２６】
［第３実施形態］
次に、図１３および図１４を参照して、この発明の鍵盤装置の第３実施形態について説明する。この場合には、図１７〜図２０に示された従来例と同一部分に同一符号を付して説明する。
この鍵盤装置は、スイッチ部材３のゴムシート１０に突起部３５を設け、鍵盤シャーシ１にゴムシート１０の突起部３５を位置規制する規制部３６を設けた構造で、これ以外は従来例とほぼ同じ構造になっている。
【００２７】
すなわち、ゴムシート１０の突起部３５は、ゴムシート１０のドーム状の膨出部１２の右側、つまり図１９に示すように、スイッチ基板１１の左端部１１ａを鍵盤シャーシ１の係止部１４に差し込むときのスライド方向側に位置するゴムシート１０の左端部から離れた箇所に、図１４に示すように、鍵２の配列方向に沿って所定間隔で設けられている。また、鍵盤シャーシ１の規制部３６は、図１９に示すように、各貫通孔１３にゴムシート１０の膨出部１２を下側から挿入したときに、ゴムシート１０の突起部３５が嵌合する孔または凹部であり、図１３に示すように、貫通孔１３の右側近傍に位置し、かつ貫通孔１３の配列方向に沿って所定間隔で設けられている。
【００２８】
このような鍵盤装置では、ゴムシート１０の膨出部１２を鍵盤シャーシ１の貫通孔１３に下側から挿入させてゴムシート１０を鍵盤シャーシ１の下面に配置すると、ゴムシート１０の突起部３５が鍵盤シャーシ１の規制部３６に嵌合するので、鍵盤シャーシ１の下面にスイッチ基板１０を位置決めすることができる。この状態で、スイッチ基板１１を鍵盤シャーシ１に組み付けるときに、図１９に２点鎖線で示すように、スイッチ基板１１を右下がりに傾斜させた状態で、スイッチ基板１１の左端部１１ａをゴムシート１０の下面に沿って滑らせて鍵盤シャーシ１の係止部１４に差し込む。このとき、例えば、スイッチ基板１１の左端部１１ａがゴムシート１０の左端部側を引っ掛かけても、ゴムシート１０の突起部３５が鍵盤シャーシ１の規制部３６に嵌合してゴムシート１０が位置規制されているので、ゴムシート１０全体が鍵盤シャーシ１に対して位置ずれするのを防ぐことができる。
【００２９】
すなわち、突起部３５がゴムシート１０の膨出部１２の右側、つまりスイッチ基板１１のスライド方向側に位置するゴムシート１０の左端部から離れた箇所に設けられているので、スイッチ基板１１の左端部１１ａ側がゴムシート１０の左端部側を引っ掛けても、その引っ掛かった箇所から突起部３５を遠ざけることができ、これにより突起部３５が鍵盤シャーシ１の規制部３６から外れにくくすることができる。このため、ゴムシート１０を鍵盤シャーシ１の所定位置に確実に位置規制することができ、ゴムシート１０を安定させた状態で正確に鍵盤シャーシ１に取り付けることができる。
【００３０】
また、スイッチ基板１１の左端部１１ａがゴムシート１０の左端部側を引っ掛かけて、ゴムシート１０を弾性的に変位させても、スイッチ基板１１の左端部１１ａを中心にスイッチ基板１１を上方に向けて回動させて鍵盤シャーシ１の下面に配置するときに、スイッチ基板１１の左端部１１ａによるゴムシート１０の引っ掛かりが外れた場合には、ゴムシート１０の突起部３５が鍵盤シャーシ１の規制部３６に嵌合してゴムシート１０が位置規制されていることにより、ゴムシート１０がそれ自身の弾性復帰力により所定位置に復帰するので、これによってもゴムシート１０を安定させた状態で正確に鍵盤シャーシ１に取り付けることができる。
【００３１】
なお、上記第１〜第３実施形態では、ゴムシート１０にドーム状の膨出部１２を鍵２の押圧部８に対応させて１列設けた場合について述べたが、これに限らず、例えば図１６（ｂ）に示すように、１枚のゴムシート４０にドーム状の膨出部１２を２列設けた構造でも良い。この場合には、図１５および図１６（ａ）に示すように、鍵盤シャーシ１に膨出部１２が挿入する貫通孔１３を２列設ければ良く、また鍵２に押圧部８を２個ずつ形成し、かつスイッチ基板１１に一対の固定接点１７を各膨出部１２に対応させて２列設ければ良い。また、ゴムシート１０には、図１６（ｂ）に示すように、鍵盤シャーシ１の係止部１４側に位置する左側の膨出部１２の右側、つまりゴムシート１０の中間部分に突起部３５を設ければ良く、また鍵盤シャーシ１には、図１６（ａ）に示すように、突起部３５が嵌合する規制部３６を設ければ良い。このような構造でも、第１〜第３実施形態と同様の作用効果があるほか、特に、鍵２が押鍵されると、一対の膨出部１２が順次弾性変形して各可動接点１６が各固定接点１７に時間差をもって接触するので、その時間差で楽音の発生を制御するタッチレスポンスの強弱信号としてスイッチ信号を出力することができる。
【００３２】
【発明の効果】
以上説明したように、この発明によれば、ゴムシートのドーム状の膨出部を鍵盤シャーシの貫通孔に下側から挿入させてゴムシートを鍵盤シャーシの下面に配置し、この状態でスイッチ基板を鍵盤シャーシに組み付けるときに、鍵盤シャーシに設けられたガイド突起がスイッチ基板をゴムシートに接触させないようにガイドするので、従来のようにゴムシートがスイッチ基板に引っ掛かって変位するのを防ぐことができ、これによりスイッチ部材を安定させた状態で正確に組み付けることができる。この場合、ガイド突起が鍵盤シャーシの下面に配置されたスイッチ基板を係止する弾性フック部を有することにより、ビスなどを用いずに、スイッチ部材を鍵盤シャーシに取り付けることができ、これにより取付作業が容易にできる。
【００３３】
また、請求項３に記載の発明によれば、鍵盤シャーシに設けられた規制部に位置規制される突起部が、スイッチ基板をスライドさせて鍵盤シャーシに組み付けるときのスイッチ基板のスライド方向側に位置するゴムシートの端部から離れた箇所に設けられていることにより、スイッチ基板の組み付け時にスイッチ基板がそのスライド方向側に位置するゴムシートの端部側を引っ掛けても、その引っ掛かったゴムシートの端部側から突起部を遠ざけることができ、このため突起部が規制部から外れにくくすることができ、これによりゴムシートを所定位置に確実に位置規制することができるので、スイッチ基板を安定させた状態で正確に取り付けることができる。
【図面の簡単な説明】
【図１】この発明の鍵盤装置の第１実施形態における鍵盤シャーシの要部断面図。
【図２】図１の鍵盤シャーシの底面図。
【図３】図１の鍵盤シャーシに組み付けられるゴムシートの底面図。
【図４】図１の鍵盤シャーシに組み付けられるスイッチ基板の底面図。
【図５】図１の鍵盤シャーシにゴムシートを配置した状態で、スイッチ基板の左端部を鍵盤シャーシの係止部に差し込む前の状態を示した要部の断面図。
【図６】図５の底面図。
【図７】図５の状態でスイッチ基板の左端部を鍵盤シャーシの係止部に差し込んだ状態を示した要部の断面図。
【図８】図７の底面図。
【図９】この発明の鍵盤装置の第２実施形態において鍵盤シャーシにゴムシートを配置した状態で、スイッチ基板の左端部を鍵盤シャーシの係止部に差し込む前の状態を示した要部の断面図。
【図１０】図９の底面図。
【図１１】図９の状態でスイッチ基板の左端部を鍵盤シャーシの係止部に差し込んだ状態を示した要部の断面図。
【図１２】図１１の底面図。
【図１３】この発明の鍵盤装置の第３実施形態における鍵盤シャーシの底面図。
【図１４】図１３の鍵盤シャーシに組み付けられるゴムシートの底面図。
【図１５】この発明の鍵盤装置の他の実施形態を示した鍵盤シャーシの要部の断面図。
【図１６】（ａ）は図１５の鍵盤シャーシの底面図、（ｂ）はそのゴムシートの底面図。
【図１７】従来の鍵盤装置を示した断面図。
【図１８】図１７の底面図。
【図１９】図１７の鍵盤シャーシにゴムシートを配置した状態で、スイッチ基板を鍵盤シャーシに取り付ける状態を示した断面図。
【図２０】図１９の底面図。
【符号の説明】
１  鍵盤シャーシ
２  鍵
３  スイッチ部材
１０、４０  ゴムシート
１１  スイッチ基板
１２  膨出部
１３  貫通孔
２５  第１ガイド突起
２６  第２ガイド突起
３１  弾性フック部
３５  突起部
３６  規制部
【図１】
0004144160.tif 000002
【図２】
0004144160.tif 000003
【図３】
0004144160.tif 000004
【図４】
0004144160.tif 000005
【図５】
0004144160.tif 000006
【図６】
0004144160.tif 000007
【図７】
0004144160.tif 000008
【図８】
0004144160.tif 000009
【図９】
0004144160.tif 000010
【図１０】
0004144160.tif 000011
【図１１】
0004144160.tif 000012
【図１２】
0004144160.tif 000013
【図１３】
0004144160.tif 000014
【図１４】
0004144160.tif 000015
【図１５】
0004144160.tif 000016
【図１６】
0004144160.tif 000017
【図１７】
0004144160.tif 000018
【図１８】
0004144160.tif 000019
【図１９】
0004144160.tif 000020
【図２０】
0004144160.tif 000021